(57)【要約】      （修正有）【課題】組立式家具への衝撃や組立式家具の傾きにより、板状部材が組立式家具から外れることを防止する取付器具を提供する。【解決手段】少なくとも２つの互いに平行に配置される家具構成要素に板状部材を取り付ける際に用いられるＵ字溝形状の取付器具１であって、板状部材の互いに平行な２つの面を挟持するための挟持面１２ａ、１４ａをそれぞれ有する一対の挟持部１２、１４と、挟持部の一端同士を接続する接続部１１と、を備え、一対の挟持部におけるそれぞれの挟持面は、互いに向き合う方向に板状部材の２つの面と面接触する曲面形状の膨出面１２ｃ、１４ｃを有している。【選択図】図２
0003207154.tif 000002
【実用新案登録請求の範囲】
【請求項１】
少なくとも２つの互いに平行に配置される家具構成要素に板状部材を取り付ける際に用いられるＵ字溝形状の取付器具であって、
前記板状部材の互いに平行な２つの面を挟持するための挟持面をそれぞれ有する一対の挟持部と、
前記挟持部の一端同士を接続する接続部と、
を備え、
前記一対の挟持部におけるそれぞれの前記挟持面は、互いに向き合う方向に前記板状部材の２つの面と面接触する曲面形状に膨出されている
ことを特徴とする取付器具。
【請求項２】
前記曲面形状は、円弧状である
ことを特徴とする請求項１に記載の取付器具。
【請求項３】
前記一対の挟持部は、Ｕ字溝の延在方向に前記板状部材が挿通される一方の挿通開口端および他方の挿通開口端を有し、
前記曲面形状は、前記一方の挿通開口端から中央へ向かって膨出量が次第に増え、当該中央から前記他方の挿通開口端へ向かって前記膨出量が次第に減少する形状である
ことを特徴とする請求項２に記載の取付器具。
【請求項４】
少なくとも２つの互いに平行に配置される家具構成要素に板状部材を取り付ける際に用いられるＵ字溝形状の取付器具を備える組立式家具であって、
前記取付器具は、
前記板状部材の互いに平行な２つの面を挟持するための挟持面をそれぞれ有する一対の挟持部と、
前記挟持部の一端同士を接続する接続部と、
を備え、
前記一対の挟持部におけるそれぞれの前記挟持面は、互いに向き合う方向に前記板状部材の２つの面と面接触する曲面形状に形成されている
ことを特徴とする組立式家具。
【考案の詳細な説明】
【技術分野】
【０００１】
本考案は、取付器具および取付器具を備えた組立式家具に関し、特に少なくとも２つの互いに平行に配置される家具構成要素に板状部材を取り付ける際に用いられるＵ字溝形状の取付器具、および、その取付器具を備えた組立式家具に関する。
【背景技術】
【０００２】
従来から、天板、底板、側板および背板を互いに組み合わせて棚板（板状部材）が設置されてなる収納棚等の組立式家具が知られている。このような組立式家具の棚板は、側板に凹設された挿入孔に嵌合する挿入部と、側板から突出して棚板を支持する支持部とを有する棚受け部材によって支持されている。具体的に棚板は、その底面に形成された凹部に支持部が嵌合することにより支持されている（例えば、特許文献１参照。）。
【先行技術文献】
【特許文献】
【０００３】
【特許文献１】特開２０１２−２２３４５３号公報
【考案の概要】
【考案が解決しようとする課題】
【０００４】
ところで、特許文献１のように、凹部と支持部とを嵌め合わせることにより棚板を支持しただけでは、例えば、組立式家具に衝撃が加わったり組立式家具が傾いた場合、棚板と棚板受け部材の嵌合状態が解消され、棚板が支持部から外れて落下するおそれがある。
【０００５】
そこで、本考案は、上記課題に鑑みてなされたものであり、組立式家具への衝撃や組立式家具の傾きにより、板状部材が組立式家具から容易に外れることを防止する共に強固に保持することが可能な取付器具、および、取付器具を備えた組立式家具を提供することを目的とする。
【課題を解決するための手段】
【０００６】
上記課題を解決するために、本考案は、少なくとも２つの互いに平行に配置される家具構成要素に板状部材を取り付ける際に用いられるＵ字溝形状の取付器具であって、前記板状部材の互いに平行な２つの面を挟持するための挟持面をそれぞれ有する一対の挟持部と、前記挟持部の一端同士を接続する接続部と、を備え、前記一対の挟持部におけるそれぞれの前記挟持面は、互いに向き合う方向に前記板状部材の２つの面と面接触する曲面形状に膨出されていることを特徴とする。
【０００７】
また、前記曲面形状は、円弧状であることが好ましい。
【０００８】
また、前記一対の挟持部は、Ｕ字溝の延在方向に前記板状部材が挿通される一方の挿通開口端および他方の挿通開口端を形成し、前記曲面形状は、前記一方の挿通開口端から中央へ向かって膨出量が次第に増え、当該中央から前記他方の挿通開口端へ向かって前記膨出量が次第に減少する形状であることが好ましい。
【０００９】
さらに、上記課題を解決するために、本考案は、少なくとも２つの互いに平行に配置される家具構成要素に板状部材を取り付ける際に用いられるＵ字溝形状の取付器具を備える組立式家具であって、前記取付器具は、前記板状部材の互いに平行な２つの面を挟持するための挟持面をそれぞれ有する一対の挟持部と、前記挟持部の一端同士を接続する接続部と、を備え、前記一対の挟持部におけるそれぞれの前記挟持面は、互いに向き合う方向に前記板状部材の２つの面と面接触する曲面形状に形成されていることを特徴とする。
【考案の効果】
【００１０】
本考案により、組立式家具に衝撃が加わったり組立式家具が傾いたりした場合であっても、板状部材を落下しないように保持することができる。
【図面の簡単な説明】
【００１１】
【図１】本考案に係る取付器具を用いた組立式の収納棚の斜視図である。
【図２】第１の実施の形態に係る取付器具の斜視図である。
【図３】図２に示す取付器具の側面図および正面図である。
【図４】棚板を収納棚に設置する工程を段階的に示す図である。
【図５】第１の実施の形態に係る取付器具と棚板との接触状態を示す断面図である。
【図６】第２の実施の形態に係る取付器具を示す図である。
【図７】本考案に係る取付器具を用いた組立式のテーブルの斜視図である。
【考案を実施するための形態】
【００１２】
本考案の好ましい実施の形態について、図面を参照しながら説明する。なお、以下に示す実施の形態は一つの例示であり、本考案の範囲において種々の形態をとりうる。
【００１３】
＜第１の実施の形態＞
図１は、取付器具を用いた組立式の収納棚の斜視図である。図２は、第１の実施の形態に係る取付器具の斜視図である。図３は、図２に示す取付器具を示す図であり、（ａ）は取付器具の側面図であり、（ｂ）は取付器具の正面図である。
【００１４】
［組立式家具］
図１に示すように、組立式家具として、例えば、収納棚１００がある。収納棚１００は、天板１１０、底板１２０、一対の側板１３０、１３０、背板１４０、および、２枚の棚板１５０を備える。天板１１０、底板１２０および側板１３０、１３０を互いに連結させた枠体において、１枚の棚板１５０は４個の取付器具１を介して側板１３０、１３０に取り付けられている。かくして、天板１１０、底板１２０、一対の側板１３０、１３０、背板１４０および棚板１５０により、収納棚１００に被収納物を収納するための３つの収納空間Ｒが形成される。なお、収納棚１００は、背板１４０とは反対側に開口Ｏを有している。
【００１５】
収納棚１００の奥行き方向において側板１３０の前側および後側には、収納棚１００の高さ方向に沿って等間隔に複数の挿入孔１３１が形成されている。挿入孔１３１は止まり孔の形式で形成されている。４個の取付器具１が、高さ方向において同じ高さ位置にある４個の挿入孔１３１に設けられている。なお、挿入孔１３１の形状は、円形であるが、角形等その他の形状でもよく、特に形状には限定されない。
【００１６】
（取付器具）
図１および図２に示すように、取付器具１は、少なくとも２つの互いに平行に配置される収納棚１００の一対の側板１３０、１３０に棚板１５０を取り付ける際に用いられるＵ字溝形状を有するものである。取付器具１は、例えば合成樹脂、金属材料や木材等により形成することが可能であるが、特に素材には限定されない。
【００１７】
なお、図１に示す左側の側壁１３０に取り付けられた取付器具１を基準として、図２において、当該取付器具１の上側（天板１１０側）を矢印ａ方向、下側（底板１２０側）を矢印ｂ方向（高さ方向ａ、ｂとも称する。）とする。また、取付器具１が取り付けられる側板１３０側を矢印ｃ方向、収納空間Ｒ側を矢印ｄ方向とする。さらに、取付器具１の、収納棚１００の開口Ｏ側を矢印ｅ方向、背板１４０側を矢印ｆ方向とする。
【００１８】
図２に示すように、取付器具１は、接続部１１と、挟持部１２、１４とを備える。
【００１９】
接続部１１は、高さ方向ａ、ｂに沿って延在して側板１３０、１３０に接する壁状部分である。接続部１１は、その収納空間Ｒ側（矢印ｄ方向）を臨む面とは反対側、つまり側板１３０側（矢印ｃ方向）の面に、側板１３０の挿入孔１３１に挿入されて側板１３０と嵌合する円柱状の嵌合突部１３を有する。なお、嵌合突部１３は、本実施の形態においては円柱状であるが、挿入孔１３１の形状に対応していれば特に限定されない。
【００２０】
図３（ａ）に示すように、挟持部１２、１４は、高さ方向ａ、ｂにおける接続部１１の両端部から、当該接続部１１に対して垂直な方向（収納空間Ｒ側（矢印ｄ方向））に突出した部分である。以下、一対の挟持部１２、１４のうち上側（矢印ａ方向）の挟持部を「上側挟持部１２」、下側（矢印ｂ方向）の挟持部を「下側挟持部１４」と称する。
【００２１】
収容空間Ｒ側（矢印ｄ方向）への上側挟持部１２の突出量は、収容空間Ｒ側（矢印ｄ方向）への下側挟持部１４の突出量よりも少ない。換言すれば、下側挟持部１４の突出量は、上側挟持部１２の突出量よりも大きい。接続部１１、上側挟持部１２および下側挟持部１４により、開口Ｏ側（矢印ｅ方向）、背板１４０側（矢印ｆ方向）および収納空間Ｒ側（矢印ｄ方向）に開口したＵ字溝１５が画成される。
【００２２】
図２および図３に示すように、上側挟持部１２および下側挟持部１４の収納空間Ｒ側（矢印ｄ方向）の角部は面取り加工されており、具体的にはＲ面取り加工されていることが好ましい。
【００２３】
上側挟持部１２および下側挟持部１４は、棚板１５０が挿通される一対の挿通開口端１５ａ、１５ｂを開口Ｏ側（矢印ｅ方向）および背板１４０側（矢印ｆ方向）にそれぞれ有する。具体的には、上側挟持部１２および下側挟持部１４は、その開口Ｏ側（矢印ｅ方向）に挿通開口端１５ａを有し、その背板１４０側（矢印ｆ方向）に挿通開口端１５ｂを有する。棚板１５０は、開口Ｏ側（矢印ｅ方向）の挿通開口端１５ａから背板１４０側（矢印ｆ方向）の挿通開口端１５ｂに向かって挿通される。
【００２４】
上側挟持部１２および下側挟持部１４の開口Ｏ側（矢印ｅ方向）の挿通開口端１５ａ、および、背板１４０側（矢印ｆ方向）の挿通開口端１５ｂの間の高さ方向ａ、ｂの間隔Ｄ１は、挿通される棚板１５０の板厚Ｔよりも大きく設定されている（図５参照。）。
【００２５】
上側挟持部１２および下側挟持部１４は、棚板１５０の断面において長手方向に沿って延在する互いに平行な２つの面（被収納物の載置面および当該載置面に背向する面）１５０ａ、１５０ｂ（図１参照。）を挟持するための挟持面１２ａ、１４ａを有する。また、上側挟持部１２は、上側（矢印ａ方向）を臨み挟持面１２ａに背向する背向面１２ｂを有し、下側挟持部１４は、下側（矢印ｂ方向）を臨み挟持面１４ａに背向する背向面１４ｂを有する。
【００２６】
上側挟持部１２の挟持面１２ａは、棚板１５０の天板１１０側を臨む面１５０ａに接触し、下側挟持部１４の挟持面１４ａは、棚板１５０の底板１２０側を臨む面１５０ｂに接触する部分であり、上側挟持部１２の挟持面１２ａおよび下側挟持部１４の挟持面１４ａによって棚板１５０を支える。
【００２７】
図３（ａ）、（ｂ）に示すように、上側および下側挟持部１２、１４の挟持面１２ａ、１４ａの縁部は、面取り加工されており、具体的にはＲ面取り加工されていることが好ましい。また、上側および下側挟持部１２、１４の背向面１２ｂ、１４ｂの縁部は、面取り加工されており、具体的にはＲ面取り加工されていることが好ましい。
【００２８】
上側挟持部１２の収納空間Ｒ側（矢印ｄ方向）の先端部は、背向面１２ｂから挟持面１２ａに向かって面取り加工されており、具体的にはＣ面取り加工されている。また、下側挟持部１４の収納空間Ｒ側（矢印ｄ方向）の先端部は、背向面１４ｂから挟持面１４ａに向かって面取り加工されており、具体的にはＣ面取り加工されている。
【００２９】
上側および下側挟持部１２、１４の挟持面１２ａ、１４ａは、互いに向き合う方向（矢印ａ、ｂ方向）に膨出し、棚板１５０の２つの面１５０ａ、１５０ｂと面接触する曲面形状に膨出して形成されている。
【００３０】
図３（ｂ）に示すように、膨出部１２ｃ、１４ｃは開口Ｏ側（矢印ｅ方向）と背板１４０側（矢印ｆ方向）との間におけるＵ字溝１５の延在方向に沿って円弧状をなしている。より具体的には、膨出部１２ｃ、１４ｃの円弧状は、一方の挿通開口端１５ａから上側および下側挟持部１２、１４の中央へ向かって膨出量が次第に増え、当該中央から他方の挿通開口端１５ｂへ向かって膨出量が次第に減少する形状である。上側および下側挟持部１２、１４は、その中央において高さ方向ａ、ｂにおけるＵ字溝１５の間隔（上側の挟持面１２ａと下側の挟持面１４ａとの間隔）が最も狭い間隔Ｄ２を有する。間隔Ｄ２は、棚板１５０の板厚Ｔと同じであるか、または、棚板１５０の板厚Ｔよりも僅かに小さく設定されている（Ｄ２≦Ｔ）。
【００３１】
＜棚板の設置＞
次に、図４を用いて収納棚１００の側板１３０、１３０へ棚板１５０を設置する工程について説明する。図４は、棚板１５０を収納棚１００に設置する工程を段階的に示す図であり、（ａ）は、棚板１５０を収納棚１００に設置する前の状態を示す図であり、（ｂ）は、棚板１５０が一部の取付器具１に挿入された状態を示す図であり、（ｃ）は、棚板１５０が全ての取付器具１に挿入されて収納棚１００に設置された状態を示す図である。
【００３２】
図４（ａ）に示すように、棚板１５０の設置前に、収納棚１００の高さ方向において同じ高さ位置にある４個の挿入孔１３１に対して、４個の取付器具１の嵌合突部１３をそれぞれ挿入しておく。この場合、下側挟持部１４の突出量は、上側挟持部１２の突出量よりも大きいので、取付器具１を上下逆さまに取り付けを間違うことがなく、正しい取付状態で側板１３０、１３０に一義的に取り付けることができる。
【００３３】
次いで、図４（ｂ）に示すように、収納棚１００の開口Ｏ側に取り付けられた取付器具１の一方の挿通開口端１５ａから他方の挿通開口端１５ｂに向かって棚板１５０の端部を挿通させる。取付器具１の上側および下側の挟持部１２、１４における挿通開口端１５ａにおける間隔Ｄ１は、棚板１５０の板厚Ｔよりも大きくなっているので、棚板１５０は取付器具１へ容易に挿入することができる。
【００３４】
図４（ｃ）に示すように、さらに棚板１５０を背板１４０側に挿入することにより、棚板１５０は背板１４０側の取付器具１に挿通される。かくして、側板１３０、１３０に対する棚板１５０の取付けが完了する。
【００３５】
次に、図５を用いて取付器具１と棚板１５０との接触状態を説明する。図５は、第１の実施の形態に係る取付器具１と棚板１５０との接触状態を示す部分断面図である。
【００３６】
上側および下側挟持部１２、１４における膨出部１２ｃ、１４ｃは、棚板１５０の面１５０ａ、１５０ｂに面接触することで棚板１５０を挟持している。上側および下側挟持部１２、１４の中央における間隔Ｄ２は、棚板１５０の板厚Ｔと同じかまたは僅かに小さくなっているので、挟持部１２、１４の膨出部１２ｃ、１４ｃの中央において棚板１５０は強固に挟持される。
【００３７】
かくして、収納棚１００に外部から衝撃が加わった場合であっても、棚板１５０は取付器具１において強固に挟持（保持）されているので、棚板１５０が不意に落下することを防止することができる。さらに、収納棚１００を移動させる場合、棚板１５０を収納棚１００に取り付けた状態で収納棚１００を傾けたとしても、棚板１５０が収納棚１００の開口Ｏ側へ滑落することを防止することができる。
【００３８】
また、上側および下側挟持部１２、１４の膨出部１２ｃ、１４ｃは、一方の挿通開口端１５ａから挟持部１２、１４の中央に向かって膨出量が増大する構成になっているので、棚板１５０を取付器具１に滑らかに挿入し、かつ、引き抜くことができる。
【００３９】
上側および下側挟持部１２、１４の角部、挟持面１２ａ、１４ａの縁部、並びに、上側挟持部１２および下側挟持部１４の収納空間Ｒ側（矢印ｄ方向）の先端部は、面取り加工されているので、棚板１５０上に載置された被収納物と取付器具１との引っ掛かりを防止することができる。
【００４０】
＜第２の実施の形態＞
次に、図６を用いて第２の実施の形態に係る取付器具２を説明する。以下では、第１の実施の形態と異なる部分についてのみ説明し、第１の実施の形態と同じ構成については、同一符号を付して説明を省略する。図６は、第２の実施の形態に係る取付器具２を示す図であり、（ａ）は取付器具２の斜視図であり、（ｂ）は取付器具２の側面図であり、（ｃ）は取付器具２の正面図である。
【００４１】
図６（ａ）、（ｂ）、（ｃ）に示すように、上側および下側挟持部１２、１４は、挟持面１２ａ、１４ａの中央に膨出部１２ｄ、１４ｄを有する。膨出部１２ｄ、１４ｄは、互いに向き合う方向（矢印ａ、ｂ方向）に膨出するような曲面形状を持って形成されている。
【００４２】
取付器具２の膨出部１２ｄ、１４ｄは、取付器具１の膨出部１２ｃ、１４ｃとは異なり、挟持部１２、１４の挟持面１２ａ、１４ａの中央において部分的にドーム状に膨出した部分であり、挟持面１２ａ、１４ａにおいて膨出部１２ｄ、１４ｄ以外の部分は平坦に形成されている。
【００４３】
取付器具２は、少なくとも第１の実施の形態における作用を奏する。さらに、平坦な部分が挟持面１２ａ、１４ａに占める面積は、膨出部１２ｄ、１４ｄが占める面積に比べて大きいので、挿通開口端１５ａ、１５ｂそれぞれの間隔Ｄ１は大きくなる。かくして、取付器具２へ棚板１５０を容易に挿通することができる。
【００４４】
＜その他＞
なお、取付器具１、２は、収納棚１００の棚板１５０を設置するために用いられるだけでなく、例えば収納棚１００を側板１３０、１３０方向に仕切って収納空間Ｒを形成する仕切壁を取り付けるために用いることもできる。また、取付器具１および取付器具２の両方を組み合わせて使用してもよい。
【００４５】
＜他の適用例＞
次に、図７を用いて第１および第２の実施の形態に係る取付器具１、２の他の適用例について説明する。図７は、取付器具１、２を用いた組立式の台２００の斜視図である。なお、以下においては取付器具１を用いた場合を想定して記載するが、取付器具１の代わりに取付器具２を用いても、取付器具１および取付器具２の両方を組み合わせて使用してもよい。
【００４６】
台２００は、例えばテーブルや机であり、天板２１０、４つの脚２２０および棚板２３０を備える。脚２２０には、取付器具１の嵌合突部１３が挿入される挿入孔（図示せず）が形成されている。天板２１０の長手方向において配置された脚２２０同士は、互いの挿入孔が向かい合うようにして天板２１０に連結されている。
【００４７】
脚２２０の挿入孔に取付器具１を嵌合させて、取付器具１に棚板２３０を挿入して設置する。なお、少なくとも２つの互いに平行に配置される組立式家具の構成要素が存在すれば、取付器具１、２の適用範囲は組立式の収納棚、台（机、テーブル）に限定されない。
【符号の説明】
【００４８】
１、２  取付器具
１１  接続部
１２  上側挟持部
１２ａ  挟持面
１２ｃ  膨出部
１４  下側挟持部
１４ａ  挟持面
１４ｃ  膨出部
１００  収納棚（組立式家具）
１１０  天板（家具構成要素）
１２０  底板（家具構成要素）
１３０  側板（家具構成要素）
１４０  背板（家具構成要素）
１５０  棚板（板状部材）
【図１】
0003207154.tif 000003
【図２】
0003207154.tif 000004
【図３】
0003207154.tif 000005
【図４】
0003207154.tif 000006
【図５】
0003207154.tif 000007
【図６】
0003207154.tif 000008
【図７】
0003207154.tif 000009